(57)【特許請求の範囲】
【請求項１】
建築構造物の端根太、床根太などに用いられる薄鋼板製Ｚ形鋼の梁材であって、当該梁材の上フランジの端縁を直角に折り曲げてリップを形成すると共に、ウエブに形成されたコ字状の切り込み部を介して、当該ウェブに対し略直角をなす切起こし接合部を構成し、前記梁材は、前記リップを壁部材の上部の支持部に係合することで、吊り下げ配置され、当該梁材の上フランジが、前記壁部材と上部壁部材との間に挟み込まれることを特徴とする建築構造用梁材。
【請求項２】
前記梁材の切起こし接合部が、当該梁材の下フランジ上に載置された床根太など他の梁材のウェブと重ね合わせて接合されることを特徴とする請求項１に記載の建築構造用梁材。
【発明の詳細な説明】
【０００１】
【発明の属する技術分野】
本発明は、主にスチールハウス等に用いられる建築構造用梁材に関する。
【０００２】
【従来の技術】
従来例１として図６に示すように、スチールハウスの各フレームとして薄鋼板製のＣ形鋼を用いた上下階部分などでは、横置きに配置される上階の床部分となるＣ形鋼製の端根太１０が変形しないように、別の補強材を挿入するなどにより補強する必要がある。
【０００３】
すなわち、図６において、下階の柱部材１５の上端にＣ形鋼の開口を下向きにして下階壁枠１２が配置され、下階壁枠１２にＣ形鋼の開口を横向きにして上階の端根太１０が配置され、端根太１０と直角に上階の床根太１３が配置され、同じレベルにある端根太１０と床根太１３に上階の床１９が設置される。床１９の上面にはＣ形鋼の開口を上向きにして上階壁枠１１を設置し、上階壁枠１１から上階の柱部材１５ａを立設する。
【０００４】
この図６においては、Ｃ形鋼の開口を横向きにして配置される端根太１０は、同じくＣ形鋼からなる上階壁枠１１と下階壁枠１２との間に挟まれるように設置されており、このような場合には、上階から受ける圧縮荷重により端根太１０が座屈変形しないように、別の補強材を挿入するなどにより補強する必要が生じる。
【０００５】
また、端根太１０と床根太１３を接合するために、図６に示すアングル材のような接合金物１４が用いられるが、この接合金物１４は専ら接合のためにだけ機能して、補強材としての役割は果たさない。
【０００６】
なお、従来例２として図７に示すように、柱部材１５のあるところでは、図６の接合専用のアングル状接合金物１４に代えて、リップ付き溝形鋼を切断し、縦向きに使用する接合金物１６を端根太１０と床根太１３の接合部に配置し、かつ、この接合金物１６を下階の端根太１０と上階の床根太１３の間に挟み込んでファスナー１７により端根太１０に接合することで、端根太１０の補強を兼ねることもある。
【０００７】
【発明が解決しようとする課題】
前述のように、スチールハウスなどの建物の各フレームとして薄鋼板製のＣ形鋼を用いた場合、端根太１０と床根太１３との接合のためには、別部材の接合金物と補強材が必要である。そのため、接合専用の接合金物１４にあっては、これと別に補強材が必要になり、補強材を兼用させる接合金物１６の場合には、それなりの強度が必要で、構造も複雑になるという問題が生じる。
【０００８】
本発明は、前述の問題点を解決したもので、補強材が不要になると共に、別部材である接合部材が不要となり、低コストで工期短縮が可能な梁材の提供を目的とする。
【０００９】
【課題を解決するための手段】
前記の課題を解決するために、本発明は次のように構成する。
【００１０】
第１の発明は、建築構造物の端根太、床根太などに用いられる薄鋼板製Ｚ形鋼の梁材であって、当該梁材の上フランジの端縁を直角に折り曲げてリップを形成すると共に、ウエブに形成されたコ字状の切り込み部を介して、当該ウェブに対し略直角をなす切起こし接合部を構成し、前記梁材は、前記リップを壁部材の上部の支持部に係合することで、吊り下げ配置され、当該梁材の上フランジが、前記壁部材と上部壁部材との間に挟み込まれることを特徴とする。
【００１１】
第２の発明は、第１の発明において、前記梁材の切起こし接合部が、当該梁材の下フランジ上に載置された床根太など他の梁材のウェブと重ね合わせて接合されることを特徴とする。
【００１２】
【作用】
本願によれば、Ｚ形鋼からなる梁材を、その上フランジを壁の上下部材の間に挟み込み、または基礎の上部に吊り下げ状態にして配設するので、上部構造から受ける圧縮荷重に対して梁材のウェブが座屈変形せず、補強部材で補強する必要がない。
【００１３】
また、前記梁材および、これと直交する床根太など他の梁材との接合には、当該梁材のウェブと一体に構成した切起こし接合部を介して行っているので、従来のような別部材の接合金物を配設することが不要であり、また、切起こし接合部を介しての他の梁材との位置決めも容易である。切起こし接合部を構成することによりウェブに形成される孔は、配線の孔として兼用できる。
【００１４】
さらに、梁材に形成した下フランジ上に前記梁材と直交する床根太など他の梁材を仮置きできるので、梁材同士の接合作業がやり易く、安全であり、低コストで工期短縮が図れる。
【００１５】
【発明の実施の形態】
［第１実施形態］
本発明の実施形態を図１〜図５を参照して説明する。
【００１６】
図１〜図４は第１実施形態を示し、図１は、本実施形態のＺ形鋼からなる梁材を、上下階間、つまり、上階床部の端根太に適用した場合の組立状態を示す斜視図である。図２は、図１の各構成部材の組立前の状態を示す分離斜視図である。図３（ａ），（ｂ）は要部の説明図、図４は、図３（ｂ）のＡ−Ａ断面図である。
【００１７】
図１、図２に示すように、溝形鋼からなる柱２０の上端に、開口部を下向きにした溝形鋼からなる下階壁の壁枠（壁部材）２が取り付けられ、この下階壁の壁枠２に端根太（梁材）１が取り付けられる。端根太１は、薄鋼板をロールフォーミングなどで曲げ形成して、ウェブ１ｂの上下端にリップ１ａ付きの上フランジ１ｄと、リップなしの下フランジ１ｃを互いに反対向きに折り曲げて構成され（その全体形状がＺ字に似ているので、これをＺ形鋼と称する）、前記リップ１ａを前記下階壁の壁枠（壁部材）２の上部背面に係合させて吊り下げ、両部材間をドリルねじ、ビス、ボルトなどのファスナー６により固定している。
【００１８】
端根太１と下階壁の壁枠２を、図３（ａ），（ｂ）、図４に拡大斜視図と拡大断面図で示す。各図に示されるように、端根太１（Ｚ形鋼）のウエブ１ｂには、長手方向に所定の間隔をおいてコ字状の切り込み３が入れられ、各切り込み３部は折曲げ線３ａを介してウェブ１ｂの面に対して直角に折り曲げられて、当該ウェブ１ｂと一体の切起こし接合片４が形成されている。各切り込み３部は予め設計時点で所定の間隔に決められているので、後述するように、切起こし接合片４に床根太５を取り付けることで、当該床根太５の位置決めが自動的になされる。
【００１９】
図１、図２に示すように、端根太１の下フランジ１ｃ上には、上階の溝形鋼からなる各床根太５の端部が載置され、床根太５の端部ウェブ５ａの背面と切起こし接合片４とが重ね合わされ、両部材をファスナー６で結合することで、床根太５は切起こし接合片４を介して、端根太１に接合されている。したがって、接合片４を介しての端根太１に対する各床根太５の位置決めは確実かつ容易で、しかも、端根太１と床根太５の接合部に従来のような別部材の接合金物を配設しなくてよい。
【００２０】
さらに、端根太１に床根太５を接合するに当たり、端根太１の下フランジ１ｃ上に各床根太５を仮置きして切起こし接合片４に合わせるだけで接合できるので、接合作業がやり易く、安全である。
【００２１】
一方、端根太１の上フランジ１ｄ上には、溝形鋼からなる上階の壁枠（壁部材）７が配置され、ファスナー６により固定されている。こうして、上階と下階の各壁枠２，７の間に端根太１の上フランジ１ｄだけが挟み込まれる構成となり、したがって、端根太１の補強材は必要ない。
【００２２】
このＺ形鋼は床組、天井組などに適用することが可能であり、建築現場でパネルに組み立てることもできる。
【００２３】
また、接合部であるウエブ１ｂの切起こし接合片４に生じる孔８は、電気配線用の孔として兼用することができる。
【００２４】
［第２参考形態］
第２参考形態を、図５を参照して説明する。図５は、参考発明を建物のコンクリート基礎に適用した例を示す。
【００２５】
第２参考形態では、図５に示すように、薄鋼板からなるＺ形梁（梁材）１は、基礎コンクリート９上にリップ１ａを係合させて吊り下げ状態に配置されている。Ｚ形梁１のウエブ１ｂには、第１施形態と同様に切り込み３および、折曲げ線３ａを介して折り曲げた切起こし接合片４が設けられて床根太５が接合され、また、上フランジ１ｄ上には壁枠７が配置されている。
【００２６】
本参考形態のようなＺ形梁１を用いることにより、布基礎の側面に凹部の形状不良が生じても、Ｚ形梁１で対処することが可能である。
【００２７】
また、Ｚ形梁１を係合する形式であるので、在来の木造、２×４工法造、コンクリート造、鉄骨造、組積造などのあらゆる構造物に適用することが可能である。
【００２８】
【発明の効果】
本発明によれば、Ｚ形鋼からなる梁材を、その上フランジを壁の上下部材の間に挟み込み配設するので、上部構造から受ける圧縮荷重に対して梁材のウェブが座屈変形せず、補強部材で補強する必要がない。
【００２９】
また、前記梁材および、これと直交する床根太など他の梁材との接合には、当該梁材のウェブに一体に切起こし構成した切起こし接合部を介して行っているので、従来のような別部材の接合金物を配設することが不要であり、また、切起こし接合部を介しての他の梁材との位置決めも容易である。切起こし接合部を構成することによりウェブに形成される孔は、配線の孔として兼用できる。さらに、梁材に形成した下フランジ上に前記梁材と直交する床根太など他の梁材を仮置きできるので、梁材同士の接合作業がやり易く、安全であり、低コストで工期短縮が図れる。
【図面の簡単な説明】
【図１】本発明の第１実施形態のＺ形鋼を梁材に適用した場合の組立状態を示す斜視図である。
【図２】第１実施形態における各構成部材の組立前の状態を示す斜視図である。
【図３】（ａ），（ｂ）は第１実施形態の要部の説明図である。
【図４】図３（ｂ）のＡ−Ａ断面図である。
【図５】第２参考形態のＺ形鋼を梁材に適用した場合の組立状態を示す斜視図である。
【図６】  第１従来例の斜視図である。
【図７】  第２従来例の斜視図である。
【符号の説明】
１      端根太、Ｚ形梁（梁材）
１ａ    リップ
１ｂ    ウエブ
１ｃ    下フランジ
１ｄ    上フランジ
２      壁枠（壁部材）
３      切り込み
３ａ    折曲げ線
４      切起こし接合片
５      床根太
６      ファスナー
７      壁枠（壁部材）
８      孔
９      基礎コンクリート
【図１】
0004313512.tif 000002
【図２】
0004313512.tif 000003
【図３】
0004313512.tif 000004
【図４】
0004313512.tif 000005
【図５】
0004313512.tif 000006
【図６】
0004313512.tif 000007
【図７】
0004313512.tif 000008